(57)【要約】【課題】  平面映像と立体映像を同時に表現する映像表示装置を開示する。【解決手段】本発明の実施形態係る映像表示装置は、映像を表示するディスプレイパネル部と、ディスプレイパネル部に表示される映像を空間的に分離し、２Ｄ映像の視聴が可能な平面映像視聴領域および３Ｄ映像の視聴が可能な立体映像視聴領域を同時に形成するレンズ部とを備えることができる。【選択図】      図１
2010072626.tif 000002
【特許請求の範囲】
【請求項１】
映像を表示するディスプレイパネル部と、
前記ディスプレイパネル部に表示される映像を空間的に分離し、平面映像の視聴が可能な平面映像視聴領域および立体映像の視聴が可能な立体映像視聴領域を同時に形成するレンズ部と、
を備えることを特徴とする映像表示装置。
【請求項２】
ディスプレイパネル部は、
左映像および右映像を表示することを特徴とする請求項１に記載の映像表示装置。
【請求項３】
レンズ部は、
高屈折率の全視野角ディスプレイ特性を有するレンチキュラーレンズで構成されることを特徴とする請求項１に記載の映像表示装置。
【請求項４】
レンチキュラーレンズは、
屈折率が２以上であり、前記屈折率に応じて曲律半径およびレンズの厚さが決定されることを特徴とする請求項３に記載の映像表示装置。
【請求項５】
平面映像を表示するための第１映像視聴領域を形成するように第１映像を空間的に分離し、平面映像を表示するための第２映像視聴領域を形成するように第２映像を空間的に分離し、立体映像を表示するための第３映像視聴領域を形成するように前記第１映像および第２映像の結合映像を空間的に分離するように、複数の整列したレンズを制御することを特徴とする映像表示方法。
【請求項６】
レンチキュラーレンズ部を制御するためのレンチキュラーレンズ制御部を備える映像表示装置であって、
前記レンチキュラーレンズ制御部は、
平面映像を表示するための第１映像視聴領域を形成するように第１映像を空間的に分離し、平面映像を表示するための第２映像視聴領域を形成するように第２映像を空間的に分離し、立体映像を表示するための第３映像視聴領域を形成するように前記第１映像および第２映像の結合映像を空間的に分離するように、前記レンチキュラーレンズ部を制御することを特徴とする映像表示装置。
【請求項７】
第１映像および第２映像で構成される分離した映像を表示するディスプレイパネル部と、
前記第１映像を空間的に分離して第１映像視聴領域を形成し、前記第２映像を空間的に分離して第２映像視聴領域を形成し、前記第１映像および第２映像の結合によって生成される映像を空間的に分離して立体映像視聴領域を形成するレンチキュラーレンズ部と、
をさらに備えることを特徴とする請求項６に記載の映像表示装置。
【請求項８】
左映像および右映像で構成されるステレオ映像を表示するディスプレイパネル部と、
前記左映像を空間的に分離して左映像視聴領域を形成し、前記右映像を空間的に分離して右映像視聴領域を形成し、前記ステレオ映像を空間的に分離して立体映像視聴領域を形成するレンチキュラーレンズ部と、
を備えることを特徴とする映像表示装置。
【請求項９】
前記レンチキュラーレンズ部をシフトして前記立体映像視聴領域の位置を調整する制御部、
をさらに備えることを特徴とする請求項８に記載の映像表示装置。
【請求項１０】
全体視聴領域を平面映像視聴領域で表現したり、平面映像および立体映像が同時に表現されたりするように前記ステレオ映像を制御する制御部、
をさらに備えることを特徴とする請求項８に記載の映像表示装置。
【請求項１１】
レンチキュラーレンズ部は、複数のレンズ列で構成され、
ここで、各レンズ列のピッチは２ｐ（ｐはディスプレイパネルを構成するピクセルのピッチ）であり、各レンズ列の曲律半径および焦点距離はレンチキュラーレンズの屈折率に応じて決定されることを特徴とする請求項８に記載の映像表示装置。
【請求項１２】
前記屈折率は２であり、各レンズ列の曲律半径は２ｐであり、焦点距離は４ｐであることを特徴とする請求項１１に記載の映像表示装置。
【請求項１３】
前記屈折率は２．５であり、各レンズ列の曲律半径は１．３９ｐであり、焦点距離は２．３１ｐであることを特徴とする請求項１１に記載の映像表示装置。
【発明の詳細な説明】
【技術分野】
【０００１】
本発明は、平面映像（２  ｄｉｍｅｎｓｉｏｎａｌ  ｉｍａｇｅ：以下「２Ｄ映像」と称する）および立体映像（３  ｄｉｍｅｎｓｉｏｎａｌ  ｉｍａｇｅ：以下「３Ｄ映像」と称する）を表示することができる映像表示装置に関する。このとき、２Ｄ映像および３Ｄ映像を表示することができる映像表示装置は、例えば家庭用テレビ、モニタ、携帯用デバイスのディスプレイ、広告用ディスプレイ、および教育用ディスプレイに適用可能である。
【背景技術】
【０００２】
３Ｄ映像をディスプレイする方法は、眼鏡式と非眼鏡式とに大別することができる。
【０００３】
眼鏡式は、カラー分離型（ａｎａｇｌｙｐｈ）、シャッタ方式視差分離型、偏光分離型などに区分することができる。非眼鏡式の大部分は、レンチキュラーレンズ（ｌｅｎｔｉｃｕｌａｒ  ｌｅｎｓ）またはパララックスバリア（ｐａｒａｌｌａｘ  ｂａｒｒｉｅｒ）を用いて３Ｄ映像を実現するが、ステレオ映像を表示する方式と多視点映像を表示する方式とに大別することができる。
【０００４】
３Ｄ映像のディスプレイは、既存の２Ｄ映像を多様に変形して表示することができる。このとき、２Ｄ映像のディスプレイでは起こらなかった視聴の不便が登場するようになる。まず、ステレオ映像を表現する眼鏡式は、左目と右目の映像を１つのディスプレイで表現することにより、眼鏡をかけていない者には重畳した映像が現れて目眩を誘発させることがある。
【０００５】
一方、非眼鏡式のステレオ方式の場合には、左映像と右映像を生成し、視聴空間上にて左映像は左目に右映像は右目に付加する方法を用いるようになる。この場合には最適視聴位置（ｓｗｅｅｔ  ｓｐｏｔ）が形成され、ユーザの視覚がこの位置にある場合にのみ左／右映像が左／右視覚に正確に入るようになる。もしユーザが最適視聴位置を逸脱すれば、左映像が右目で右映像が左目で認識されて映像交差（ｃｒｏｓｓｔａｌｋ）現象が生じるようになり、ユーザは目眩や頭痛を感じるようになる。
【０００６】
したがって、ユーザが不便を感じずに２Ｄ映像および３Ｄ映像を視聴することができる映像表示装置が求められている。
【発明の概要】
【発明が解決しようとする課題】
【０００７】
本発明は、上述した問題点を解決するために案出されたものであって、２Ｄ映像と３Ｄ映像を同時に表現する映像表示装置を提供することを目的とする。
【０００８】
また、本発明は、３Ｄ映像の視聴を所望する者が眼鏡をかけなくても優れた品質の３Ｄ映像を鑑賞することができると共に、２Ｄ映像の視聴を所望する者が画質劣化のない完璧な２Ｄ映像を視聴することができる映像表示装置を提供することを他の目的とする。
【０００９】
さらに、本発明は、３Ｄ映像の視聴と２Ｄ映像の視聴すべてに対して映像反転が起こらないようにすることで、映像を視聴するときに視覚疲労が生じない映像表示装置を提供することをさらに他の目的とする。
【課題を解決するための手段】
【００１０】
上述した目的を達成するために、本発明の実施形態に係る映像表示装置は、映像を表示するディスプレイパネル部と、前記ディスプレイパネル部に表示される映像を空間的に分離し、２Ｄ映像の視聴が可能な平面映像視聴領域および３Ｄ映像の視聴が可能な立体映像視聴領域を同時に形成するレンズ部とを備えることができる。
【００１１】
このとき、前記ディスプレイパネル部は、左映像および右映像を表示することができる。
【００１２】
このとき、前記レンズ部は、高屈折率の全視野角ディスプレイ特性を有するレンチキュラーレンズで構成することができる。
【００１３】
このとき、前記レンチキュラーレンズは、屈折率が２以上であり、前記屈折率に応じて曲律半径およびレンズの厚さを決定することができる。
【００１４】
本発明の他の実施形態に係る映像表示装置は、左映像および右映像で構成されるステレオ映像を表示するディスプレイパネル部と、前記左映像を空間的に分離して左映像視聴領域を形成し、前記右映像を空間的に分離して右映像視聴領域を形成し、前記ステレオ映像を空間的に分離して立体映像視聴領域を形成するレンチキュラーレンズ部とを備える。
【００１５】
このとき、映像表示装置は、前記レンチキュラーレンズ部をシフトして前記立体映像視聴領域の位置を調整する制御部をさらに備えることができる。
【００１６】
このとき、映像表示装置は、全体視聴領域を平面映像視聴領域で表現したり、平面映像および立体映像を同時に表現したりするように前記ステレオ映像を制御する制御部をさらに備えることができる。
【００１７】
このとき、レンチキュラーレンズ部は、複数のレンズ列で構成される。ここで、各レンズ列のピッチ（ｐｉｔｃｈ）は２ｐ（ｐはディスプレイパネルを構成するピクセルのピッチ）であり、各レンズ列の曲律半径および焦点距離はレンチキュラーレンズの屈折率に応じて決定することができる。
【００１８】
このとき、前記屈折率は２であり、各レンズ列の曲律半径は２ｐであり、焦点距離は４ｐであり得る。
【００１９】
また、前記屈折率は２．５であり、各レンズ列の曲律半径は１．３９ｐであり、焦点距離は２．３１ｐであり得る。
【００２０】
本発明のさらに他の実施形態に係る映像表示装置は、レンチキュラーレンズ部を制御するためのレンチキュラーレンズ制御部を備え、前記レンチキュラーレンズ制御部は、平面映像を表示するための第１映像視聴領域を形成するように第１映像を空間的に分離し、平面映像を表示するための第２映像視聴領域を形成するように第２映像を空間的に分離し、立体映像を表示するための第３映像視聴領域を形成するように前記第１映像および第２映像の結合映像を空間的に分離するように、前記レンチキュラーレンズ部を制御する。
【００２１】
本発明の実施形態に係る映像表示方法は、平面映像を表示するための第１映像視聴領域を形成するように第１映像を空間的に分離し、平面映像を表示するための第２映像視聴領域を形成するように第２映像を空間的に分離し、立体映像を表示するための第３映像視聴領域を形成するように前記第１映像および第２映像の結合映像を空間的に分離するように、複数の整列したレンズを制御する。
【発明の効果】
【００２２】
本発明の実施形態によれば、ユーザが２Ｄ映像と３Ｄ映像を画質低下や視覚的疲労を感じることなく同時に選択的に視聴することができる。
【００２３】
また、本発明の実施形態によれば、ユーザが３Ｄ映像を視聴したい場合には画面の中央部分に位置して３Ｄ映像を視聴することができ、他の領域では画質低下のない２Ｄ映像を視聴することができる。
【００２４】
さらに、本発明の実施形態によれば、３Ｄ映像視聴と２Ｄ映像視聴すべてに対して映像反転が起こらないようにし、映像を視聴するときに視覚疲労が生じない。
【図面の簡単な説明】
【００２５】
【図１】本発明の実施形態に係る映像表示装置の構成を示す図である。
【図２】本発明の他の実施形態に係る映像表示装置の構成を示す図である。
【図３】レンチキュラーレンズのシフトによる立体映像視聴領域の位置変化を示す図である。
【図４】本発明の実施形態に係る映像表示装置のピクセル構成を説明するための図である。
【図５】映像表示装置の全視野角特性を説明するための図である。
【図６】本発明の実施形態に係るレンチキュラーレンズの光経路特性を示す図である。
【図７】本発明の実施形態に係るレンチキュラーレンズの光学的設計条件を示す図である。
【図８】本発明の実施形態に係るレンチキュラーレンズの光学的設計例を示す図である。
【図９】レンチキュラーレンズの屈折率が２である場合の一例を示す図である。
【図１０】本発明の実施形態に係る映像表示装置に対してユーザが感じる映像を説明するための図である。
【図１１】本発明の実施形態に係る映像表示装置に対してユーザが感じる他の一例を示す図である。
【図１２】本発明の実施形態に係る映像表示装置に対してユーザが感じるさらに他の一例を示す図である。
【発明を実施するための形態】
【００２６】
以下、添付の図面を参照しながら、本発明の好ましい実施形態について詳細に説明する。
【００２７】
本発明の実施形態に係る映像表示装置は、ユーザが眼鏡をかけなくても３Ｄおよび２Ｄ映像を同時に視聴することができるディスプレイ装置に関する。また、本発明の実施形態に係る映像表示装置は、２Ｄ映像視聴領域と３Ｄ映像視聴領域を空間的に分離し、２Ｄ映像視聴領域にいるユーザは２Ｄ映像を、３Ｄ映像視聴領域にいるユーザは３Ｄ映像を視聴することができるディスプレイに関する。
【００２８】
さらに、本発明の実施形態に係る映像表示装置は、視聴領域全体に対して映像反転のない技術に関する。ここで、映像反転とは、３Ｄ映像のディスプレイにおいて左映像が右目で認識されたり右映像が左目で認識されたりし、認知的な混乱を引き起こすことを意味する。このような映像表示装置は、光（ｗｉｄｅ）視野角または全視野角特性を有するレンズを備えることができる。
【００２９】
図１は、本発明の実施形態に係る映像表示装置の構成を示す図である。図１を参照するに、本発明の実施形態に係る映像表示装置は、ディスプレイパネル部１０１と、レンズ部１０３とを備える。
【００３０】
ディスプレイパネル部１０１は、映像提供装置（図示せず）から提供される入力映像を表示する。映像提供装置（図示せず）から提供される入力映像は、左映像および右映像を含むステレオ映像であり得る。
【００３１】
レンズ部１０３は、ディスプレイパネル部１０１に表示される映像を空間的に分離し、左映像が表示される視聴領域１０５、右映像が表示される視聴領域１０６、および左右映像が重畳して表示される視聴領域１０７を同時に形成する。
【００３２】
このとき、レンズ部１０３は、高屈折率の全視野角ディスプレイ特性を有するレンチキュラーレンズで構成することができる。レンチキュラーレンズの屈折率は一例として２以上であり、屈折率に応じて曲律半径およびレンズの厚さが決定される。
【００３３】
図２は、本発明の他の実施形態に係る映像表示装置の構成を示す図である。図２を参照するに、映像表示装置２０１は、ディスプレイパネル部２０３と、レンチキュラーレンズ部２０５と、制御部２０７と、シフト駆動部２０９と、受信部２１１とを備えて構成することができる。
【００３４】
ディスプレイパネル部２０３は、左映像および右映像で構成されるステレオ映像を表示することができる。
【００３５】
すなわち、ディスプレイパネル部２０３は、２Ｄ映像を表現するパネルであり、液晶ディスプレイ（ＬＣＤ）、プラズマディスプレイパネル（ＰＤＰ）、発光ダイオード（ＬＥＤ）、有機エレクトロルミネッセンス（ＯＬＥＤ）、陰極線管（ＣＲＴ）、プロジェクタ（Ｐｒｏｊｅｃｔｏｒ）など多様なディスプレイ手段によって実現することができる。ディスプレイパネル部２０３は、ディスプレイピクセルを介して映像情報を表現するようになる。このとき、それぞれのディスプレイピクセルは、色相および輝度情報を表現するサブピクセルで構成することができる。
【００３６】
レンチキュラーレンズ部２０５は、左映像を空間的に分離して左映像視聴領域を形成し、右映像を空間的に分離して右映像視聴領域を形成し、ステレオ映像を空間的に分離して立体映像視聴領域を形成する。
【００３７】
レンチキュラーレンズ部２０５は、屈折特性を有するレンチキュラーレンズで構成することができる。レンチキュラーレンズは、透明な光学素子で実現することができ、クラウンガラスやフリントガラスなどの光学ガラス、アクリル、ポリメタクリル酸メチル樹脂（ＰＭＭＡ）などの光学用プラスチックを用いることができる。
【００３８】
レンチキュラーレンズ部２０５は、複数のレンズ列（ｃｏｌｕｍｎ）で構成され、１つのレンズ列に対して２対のディスプレイピクセルが対応してステレオ映像の生成に用いられる。
【００３９】
一般的に、レンチキュラーレンズは、最適視聴位置を形成するために用いられる。しかしながら、本発明の実施形態においてレンチキュラーレンズは、光視野角または全視野角を形成するために用いられる。したがって、本発明の実施形態においてレンチキュラーレンズは、一般的なレンチキュラーレンズと使用目的、形態、および材料において差を有する。これについての詳細な説明は後述する。
【００４０】
制御部２０７は、全体視聴領域を２Ｄ映像視聴領域で表現したり、２Ｄ映像および３Ｄ映像が同時に表現されたりするようにステレオ映像を制御することができる。
【００４１】
すなわち、制御部２０７は、入力映像に対応するコンテンツが２Ｄ映像である場合に、左映像および右映像を同じ映像が表示されるように制御することで、全体視聴領域を２Ｄで表現することができる。これと同様に、制御部２０７は、ユーザの選択に応じて全体視聴領域を２Ｄで表現したり、２Ｄおよび３Ｄ映像を同時に表現したりできる。
【００４２】
また、制御部２０７は、レンチキュラーレンズ部２０５がシフトするように制御して３Ｄ映像視聴領域の位置を調整することができる。このとき、シフト駆動部２０９は、制御部２０７の制御に応じてレンチキュラーレンズ部２０５を左側または右側にシフトする。
【００４３】
このとき、制御部２０７は、ユーザの位置を感知してレンチキュラーレンズ部２０５をシフトしたり、ユーザの選択に応じてレンチキュラーレンズ部２０５をシフトしたりできる。
【００４４】
このとき、立体映像視聴領域は、図３に示すように、レンチキュラーレンズ部２０５がシフトする方向に移動するようになる。
【００４５】
受信部２１１は、ユーザの位置を感知するためのセンサ（図示せず）を備えて構成することができる。また、受信部２１１は、ユーザがリモートコントローラを介して入力する信号を受信して制御部２０７に伝達することができる。
【００４６】
図４は、本発明の実施形態に係る映像表示装置のピクセル構成を説明するための図である。また、図５は、映像表示装置の全視野角特性を説明するための図である。図４を参照するに、ディスプレイパネル４０１は、右映像ピクセル４０３および左映像ピクセル４０５を介してステレオ映像を表示することができる。
【００４７】
このとき、ディスプレイパネル４０１は、複数のディスプレイピクセルで構成され、各ディスプレイピクセルは、右映像ピクセル４０３および左映像ピクセル４０５で構成される。
【００４８】
図５に示すように、レンチキュラーレンズ４０７は、全視野角特性を有する。このとき、レンチキュラーレンズ４０７を構成する各レンズ列の中心は、ディスプレイピクセルの中心と一致するように構成することができる。
【００４９】
図５に示すように、各レンズ列の中心がディスプレイピクセルの中心と一致する場合に、視聴領域の左側では左映像ピクセル情報のみを視聴することができる。これと同様に、各レンズ列の中心がディスプレイピクセルの中心と一致する場合に、視聴領域の右側では右映像ピクセル情報のみを視聴することができる。ここで、左映像ピクセル情報は、左映像ピクセル４０５を介して表示される映像を意味し、右映像ピクセル情報は、右映像ピクセル４０３を介して表示される映像を意味する。
【００５０】
図６は、本発明の実施形態に係るレンチキュラーレンズの光経路特性を示す図である。図６を参照するに、ディスプレイピクセルは、レンズの焦点に位置する。これにより、ディスプレイピクセル上の一点から出る光は、レンズを通過して平行光を形成するようになる。図６において、サブピクセル（Ｓｕｂ  Ｐｉｘｅｌ）は、左映像ピクセルまたは右映像ピクセルのうちのいずれか１つを意味する。
【００５１】
本発明の実施形態に係るレンチキュラーレンズの光経路特性を実現するための設計条件については後述する。
【００５２】
図７は、本発明の実施形態に係るレンチキュラーレンズの光学的設計条件を示す図である。
【００５３】
レンチキュラーレンズ７０１が球面レンズであると仮定する。このとき、レンチキュラーレンズ７０１を構成するレンズ列の曲律半径をｒ、レンズの屈折率をｎ２、空気の屈折率をｎ１であると仮定する。平行な光がレンズ面の法線とθ１の角度をなして入射するとすれば、スネルの法則（Ｓｎｅｌｌ  Ｌａｗ）によって曲がるようになる。このとき、レンチキュラーレンズ７０１側の光がレンズ面の法線となす角度θ２は、式（１）のように示されるようになる。
【００５４】
【数１】
2010072626.tif 000003
式（１）は式（２）のように簡略化することができる。
【００５５】
【数２】
2010072626.tif 000004
このとき、レンズの中心から焦点までの距離をｘとすれば、ｘの値はサイン（ｓｉｎｅ）公式によって式（３）のように示すことができる。
【００５６】
【数３】
2010072626.tif 000005
式（３）によって、レンズの中心から焦点までの距離ｆは式（４）のように示すことができる。
【００５７】
【数４】
2010072626.tif 000006
このとき、空気の屈折率を１とすれば、ｆは式（５）のように示すことができる。
【００５８】
【数５】
2010072626.tif 000007
このとき、レンズに平行な光は、入射面の位置と関係なく焦点を通るようになり、焦点距離ｆはレンチキュラーレンズ７０１の厚さとなる。
【００５９】
図８は、本発明の実施形態に係るレンチキュラーレンズの光学的設計例を示す図である。図８を参照するに、レンチキュラーレンズ８０３は、複数のレンズ列で構成される。ここで、各レンズ列のピッチ（ｐｉｔｃｈ）は２ｐであり、各レンズ列の曲律半径および焦点距離はレンチキュラーレンズの屈折率に応じて決定することができる。ここで、ｐは、ディスプレイパネル８０１を構成するディスプレイピクセルのピッチを意味する。
【００６０】
このとき、レンチキュラーレンズ８０３は、屈折率ｎが２．５であり、曲律半径がｒであると仮定する。レンチキュラーレンズ８０３の中心に水平に入射する光はレンズを通過しながら
【００６１】
【数６】
2010072626.tif 000008
の角度を有し、
【００６２】
【数７】
2010072626.tif 000009
はスネルの法則によって式（６）のように示すことができる。
【００６３】
【数８】
2010072626.tif 000010
また、レンチキュラーレンズ８０３の焦点距離ｆは、式（５）によって式（７）のように示すことができる。
【００６４】
【数９】
2010072626.tif 000011
したがって、レンズの中心に水平に入射した光が焦点距離に位置したディスプレイピクセルに到着する間に水平に移動した距離ｙは、式（８）のように示すことができる。
【００６５】
【数１０】
2010072626.tif 000012
曲律半径ｒは、ｙがディスプレイピクセルのピッチと同じになるように設計することによって決定することができる。したがって、曲律半径ｒは式（９）のように求めることができる。
【００６６】
【数１１】
2010072626.tif 000013
このとき、レンチキュラーレンズ８０３のピッチおよびレンズの厚さは、式（１０）のように示すことができる。
【００６７】
ｌｅｎｓ  ｐｉｔｃｈ＝２＊ｐｉｘｅｌ  ｐｉｔｃｈ＝２＊ｐ
ｌｅｎｓ  ｔｈｉｃｋｎｅｓｓ＝ｌｅｎｓ焦点距離ｆ＝２．３１＊ｐ（１０）
【００６８】
式（６）〜（１０）によって設計されたレンチキュラーレンズ８０３は、全視野角視聴角度を有し、２Ｄ映像と３Ｄ映像を同時に表示することが可能である。
【００６９】
一方、全視野角ディスプレイ特性を有するレンチキュラーレンズを実現するためには、高屈折率の光学素子を用いることができる。このとき、屈折率が低い場合、例えば屈折率ｎが２以下である場合には、１８０゜視聴角度を有する全視野角ディスプレイの実現が困難であるが、レンズ設計に応じて十分な視聴角度で２Ｄおよび３Ｄ映像の同時表現が可能な広視野角ディスプレイ特性を実現することができる。
【００７０】
図９は、レンチキュラーレンズの屈折率が２である場合に対する例を示す図である。
【００７１】
式（１）〜（５）により、レンチキュラーレンズ９０３のレンズパラメータは式（１１）のように決定することができる。
【００７２】
【数１２】
2010072626.tif 000014
図９を参照するに、複数のレンズ列で構成され、ここで各レンズ列のピッチは２ｐであり、各レンズ列の曲律半径および焦点距離はレンチキュラーレンズの屈折率に応じて決定することができる。ここで、ｐは、ディスプレイパネル９０１を構成するピクセルのピッチを意味する。
【００７３】
このとき、レンチキュラーレンズ９０３の中心を通る光はレンズを通過して９０゜よりも小さい法線角δ２で空気中に進められ、ｎが２．０の場合は６３．４゜を形成するようになる。したがって、映像反転を起こさない範囲は１２７゜となり、比較的広い視野角に対して映像反転が起こらない。
【００７４】
図１０は、本発明の実施形態に係る映像表示装置に対してユーザが感じる映像を説明するための図である。図１０を参照するに、ディスプレイパネル部１００１は、左映像および右映像を表示する。レンチキュラーレンズ部１００３は、左映像および右映像を空間的に分離して表示する。
【００７５】
このとき、左映像視聴領域（Ｌｅｆｔ  Ｉｍａｇｅ  Ａｒｅａ）にユーザの２つの目が位置した場合に、ユーザは左映像のみを観察するようになって２Ｄ映像を見ることができる。また、右映像視聴領域（Ｒｉｇｈｔ  Ｉｍａｇｅ  Ａｒｅａ）にユーザの２つの目が位置した場合に、ユーザは右映像のみを観察するようになり、同じように２Ｄ映像の視聴が可能となる。ユーザの２つの目が左／右視聴領域が交わる中心に位置する場合、すなわちディスプレイパネル部１００１の中心に位置する場合に、左目には左映像が右目には右映像が認識されるため、ユーザは３Ｄ映像を感じることができる。
【００７６】
図１１は、本発明の実施形態に係る映像表示装置に対してユーザが感じる他の例を示す図である。図１１は、ユーザの目の位置が左映像視聴領域または右映像視聴領域のうちのいずれか１つの領域と３Ｄ領域に重なっている場合を示す。この場合に、ユーザは、左目では左映像の全体を見るようになり、右目では左映像の一部と右映像の一部を見るようになる。したがって、ユーザは、画面の一部は３Ｄ、画面の残りは２Ｄとして感じるようになる。このとき、立体感の損失が発生することはあるが、左目と右目の映像が互いに変わって現れる映像反転は発生しないため、視覚的疲労は低い。
【００７７】
図１２は、本発明の実施形態に係る映像表示装置に対してユーザが感じるさらに他の例を示す図である。図１２は、全体視聴領域に対して２Ｄ映像および３Ｄ映像を感じる領域を表示したものである。ユーザがディスプレイの左側あるいは右側に位置する場合に、ユーザは画質低下のない２Ｄ映像を視聴するようになる。ユーザがディスプレイの中央の最適視聴位置にいる場合は、完全な立体３Ｄ映像を視聴することができる。ユーザが２Ｄ領域と３Ｄ領域とにまたがっていたり、最適視聴位置から前方あるいは後方に移動したりする場合には、画面の一部分から立体感が消えて映像が２Ｄに変わるようになるが、これはユーザが最適視聴位置からどれほど離隔しているかに応じて決定される。ユーザが画面に十分に近くにいたり、あるいは画面から十分に遠くなるようになれば、立体効果は低下して２Ｄを経験するようになる。また、このすべての場合に対して映像反転は発生しない。
【００７８】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００７９】
１０１、２０３、４０１、８０１、９０１、１００１  ディスプレイパネル部
１０３  レンズ部
１０５  左映像が表示される視聴領域
１０６  右映像が表示される視聴領域
１０７  左右映像が表示される視聴領域
２０１  映像表示装置
２０５、４０７、７０１、８０３、９０３、１００３  レンチキュラーレンズ部
２０７  制御部
２０９  シフト駆動部
２１１  受信部
４０３  右映像ピクセル
４０５  左映像ピクセル
【図１】
2010072626.tif 000015
【図２】
2010072626.tif 000016
【図３】
2010072626.tif 000017
【図４】
2010072626.tif 000018
【図５】
2010072626.tif 000019
【図６】
2010072626.tif 000020
【図７】
2010072626.tif 000021
【図８】
2010072626.tif 000022
【図９】
2010072626.tif 000023
【図１０】
2010072626.tif 000024
【図１１】
2010072626.tif 000025
【図１２】
2010072626.tif 000026